(57)【特許請求の範囲】
【請求項１】
運針手段により時針、分針、秒針を運針して現在時刻を表示する時計装置であって、
外部より送信された時刻データを受信する受信手段と、
時刻修正モードを設定するための設定手段と、
この設定手段による時刻修正モードの設定に応答して前記秒針を停止させる停止手段と、
この停止手段により停止させた秒針が示す秒の値と前記受信手段により受信された時刻データの秒の値とを比較する比較手段と、
この比較手段による比較の結果、前記時刻データの秒の値と前記停止させた秒針が示す秒の値とが一致する場合、当該時刻データの時、分の各値に対応する位置に前記時針及び分針を運針させるとともに、前記秒針の運針を開始させる開始手段と
を備えることを特徴とする時計装置。
【請求項２】
前記停止手段は、前記設定手段による時刻修正モードの設定に応答して、００秒を示す位置に前記秒針を運針して停止させ、
前記開始手段は、前記受信手段により受信された時刻データの秒の値が“００”であった場合を前記時刻データの秒の値と前記停止させた秒針が示す秒の値とが一致する場合と判断し、当該時刻データの時、分の各値に対応する位置に前記時針及び分針を運針させるとともに、前記秒針の運針を開始させることを特徴とする請求項１記載の時計装置。
【請求項３】
前記秒針を停止させた時点から前記時刻修正モードが解除されるまでの秒を計測する計測手段を更に備え、
前記制御手段は、前記停止させた秒針が示す秒の値を有する時刻データを受信する前に前記時刻修正モードが解除された場合、前記秒針を停止させた位置から前記計測手段の計測値に対応する秒位置に運針させた後、運針を開始させることを特徴とする請求項１又は２記載の時計装置。
【請求項４】
前記秒針を停止させてから所定の時間内に、当該停止させた秒針が示す秒の値を有する時刻データを前記受信手段が受信し得なかった場合、これを報知する報知手段を更に備えることを特徴とする請求項１又は２記載の時計装置。
【請求項５】
時針、分針、秒針を運針して現在時刻を表示する時計装置の時刻修正方法であって、
外部より送信された時刻データを受信する受信ステップと、
時刻修正モードを設定する設定ステップと、
この設定ステップによる時刻修正モードの設定に応答して前記秒針を停止させる停止ステップと、
この停止ステップにより停止させた秒針が示す秒の値と前記受信ステップにより受信された時刻データの秒の値とを比較する比較ステップと、
この比較ステップでの比較の結果、前記時刻データの秒の値とが前記停止させた秒針が示す秒の値とが一致する場合、当該時刻データの時、分の各値に対応する位置に前記時針及び分針を運針させるとともに、前記秒針の運針を開始させる開始ステップと
を含むことを特徴とする時刻修正方法。
【請求項６】
前記停止ステップでは、前記設定ステップによる時刻修正モードの設定に応答して、００秒を示す位置に前記秒針を運針して停止させ、
前記開始ステップでは、前記受信ステップにより受信された時刻データの秒の値が“００”であった場合に、当該時刻データの時、分の各値に対応する位置に前記時針及び分針を運針させるとともに、前記秒針の運針を開始させることを特徴とする請求項５記載の時刻修正方法。
【発明の詳細な説明】
【０００１】
【発明の属する技術分野】
本発明は、受信したデータに基づき時刻修正を行う時計装置及び時刻修正方法に関する。
【０００２】
【従来の技術】
今日においては、腕時計に赤外線通信機能を備え、各ユーザが携帯する腕時計同士で赤外通信によりデータの送受信を行い、あるいは各地に設けられた基地局（赤外線データ通信用デバイス）に赤外通信によりデータの送受信を行う、赤外線送受信システムが提案されている。この赤外線送受信システムを構成する腕時計には、赤外線送受信部とキーとが設けられる。そして、所定のキー操作を行うと、内部メモリに格納されているデータ、例えば当該腕時計が計時している現在時刻データが赤外線送受信部より外部に送信される。したがって、他の腕時計がこれを受信して自己のメモリに記憶されている現在時刻データを書き換えることにより、複数の者の腕時計が同一の現在時刻データを共有することができるようになる。
【０００３】
【発明が解決しようとする課題】
しかしながら、腕時計には、前記メモリに記憶されている時刻データに基づき、現在時刻をＬＥＤ等の表示部に文字表示するデジタルタイプものと、時針、分針、秒針を有し、これら各針により現在時刻を表示するアナログタイプのものとが存在する。デジタルタイプの腕時計の場合、内部メモリに記憶されて現在時刻データに基づく時刻をそのまま表示することから、時刻データを受信して内部メモリに記憶されている現在時刻データを書き換えれば、表示されている現在時刻も必然的に修正される。
【０００４】
しかし、アナログタイプの腕時計の場合、運針パルスに応答して動作する同期モータによって分針が駆動され、時針及び分針も他のモータにより駆動されている。したがって、メモリ内の時刻データを書き換えても、これら三針で表示される表示時刻は修正されず、三針により修正された正確な時刻を表示することができない。
【０００５】
本発明は、このような課題に鑑みてなされたものであり、受信した時刻データに基づき、精度よく時針、分針、秒針による時刻表示を修正することのできる時計装置及び時刻修正方法を提供することを目的とするものである。
【０００６】
【課題を解決するための手段】
前記課題を解決するために請求項１記載の発明にあっては、運針手段により時針、分針、秒針を運針して現在時刻を表示する時計装置であって、外部より送信された時刻データを受信する受信手段と、時刻修正モードを設定するための設定手段と、この設定手段による時刻修正モードの設定に応答して前記秒針を停止させる停止手段と、この停止手段により停止させた秒針が示す秒の値と前記受信手段により受信された時刻データの秒の値とを比較する比較手段と、この比較手段による比較の結果、前記時刻データの秒の値と前記停止させた秒針が示す秒の値とが一致する場合、当該時刻データの時、分の各値に対応する位置に前記時針及び分針を運針させるとともに、前記秒針の運針を開始させる開始手段とを備える。
【０００７】
したがって、時刻修正モードが設定されると秒針が停止する。そして、受信した時刻データの秒桁が停止させた秒針が示す秒の値であった場合には、当該時刻データの時、分各桁の値に対応する位置に前記時針及び分針を運針させ、しかる後秒針の運針を開始させる。これにより、時針、分針、秒針の運針が全て受信した時刻データの時、分、秒各桁の値に対応する位置から再開され、受信した時刻データに基づき、精度よく時針、分針、秒針による時刻表示が修正される。
【０００８】
また、請求項２記載の発明にあっては、前記停止手段は、前記設定手段による時刻修正モードの設定に応答して、００秒を示す位置に前記秒針を運針して停止させ、前記開始手段は、前記受信手段により受信された時刻データの秒の値が“００”であった場合を前記時刻データの秒の値と前記停止させた秒針が示す秒の値とが一致する場合と判断し、当該時刻データの時、分の各値に対応する位置に前記時針及び分針を運針させるとともに、前記秒針の運針を開始させる。
【０００９】
したがって、時刻修正モードが設定されると秒針は００秒を示す位置に運針されて停止する。そして、受信した時刻データの秒桁が停止させた秒針が示す秒の値、つまり“００”であった場合には、当該時刻データの時、分各桁の値に対応する位置に前記時針及び分針を運針させ、しかる後秒針の運針を開始させる。これにより、時針、分針、秒針の運針が全て受信した時刻データの時、分、秒各桁の値に対応する位置から運針が再開される。
【００１０】
また、請求項３記載の発明にあっては、前記秒針を停止させた時点から前記時刻修正モードが解除されるまでの秒を計測する計測手段を更に備え、前記制御手段は、前記停止させた秒針が示す秒の値を有する時刻データを受信する前に前記時刻修正モードが解除された場合、前記秒針を停止させた位置から前記計測手段の計測値に対応する秒位置に運針させた後、運針を開始させる。
【００１１】
つまり、時刻修正モードが設定されると秒針を停止させることから、時刻データを受信することなく時刻修正モードが解除された場合、停止させた秒針の運針をそのまま再開させると、運針を停止させてから再開させるまでの時間に応じた遅れが秒針に生ずることとなる。しかし、秒針を停止させた時点から時刻修正モードが解除されるまでの秒を計測し、この計測値に対応する秒位置に秒針を運針させた後、運針を再開することにより、運針を停止させてから再開させるまでの時間に応じた遅れが秒針に生ずることがない。
【００１２】
また、請求項４記載の発明にあっては、前記秒針を停止させてから所定の時間内に、当該停止させた秒針が示す秒の値を有する時刻データを前記受信手段が受信し得なかった場合、これを報知する報知手段を更に備える。すなわち、停止させた秒針が示す秒の値を有する時刻データを受信手段が受信し得るためには、最大１分の待ち受け時間が生ずる。しかし、前記秒針を停止させてから所定時間内、例えば１分以内に停止させた秒針が示す秒の値を有する時刻データを受信し得なかった場合には、報知を行うことにより、ユーザはエラーが発生したことを認識し得る。
【００１３】
また、請求項５記載の発明にあっては、時針、分針、秒針を運針して現在時刻を表示する時計装置の時刻修正方法であって、外部より送信された時刻データを受信する受信ステップと、時刻修正モードを設定する設定ステップと、この設定ステップによる時刻修正モードの設定に応答して前記秒針を停止させる停止ステップと、この停止ステップにより停止させた秒針が示す秒の値と前記受信ステップにより受信された時刻データの秒の値とを比較する比較ステップと、この比較ステップでの比較の結果、前記時刻データの秒の値とが前記停止させた秒針が示す秒の値とが一致する場合、当該時刻データの時、分の各値に対応する位置に前記時針及び分針を運針させるとともに、前記秒針の運針を開始させる開始ステップとを含む。
したがって、コンピュータに各ステップの処理を実行させることにより、請求項１に記載する発明と同様の効果を得ることが可能となる。
【００１４】
また、請求項６記載の発明にあっては、前記停止ステップでは、前記設定ステップによる時刻修正モードの設定に応答して、００秒を示す位置に前記秒針を運針して停止させ、前記開始ステップでは、前記受信ステップにより受信された時刻データの秒の値が“００”であった場合に、当該時刻データの時、分の各値に対応する位置に前記時針及び分針を運針させるとともに、前記秒針の運針を開始させる。
したがって、コンピュータに各ステップの処理を実行させることにより、請求項２に記載する発明と同様の効果を得ることが可能となる。
【００１５】
【発明の実施の形態】
（第１の実施の形態）
以下、本発明の第１の実施の形態を図に従って説明する。この実施の形態は、本発明を腕時計に適用したものであり、図１に示すように、腕時計１は、時計本体２とこの時計本体２の両端部に係止されたバンド３，３とで構成されている。時計本体２の表面部には、図示しない時計ガラスの下部に、時刻表示部４が設けられている。この時刻表示部４は、文字盤４１と、時針４２、分針４３、及び秒針４４で構成されている。また、時計本体２両側面部には、赤外線送受信部６と後述する時刻訂正モードを設定するための設定キー７１、及び時刻訂正モードを解除するための解除キー７２が設けられている。
【００１６】
図２は、時計本体２の内部に配置されている回路の構成を示すブロック図である。この回路には、ＣＰＵ８が設けられているとともに、ＲＯＭ９及びＲＡＭ１０がそれぞれバス１２を介して接続されている。ＣＰＵ８は、ＲＡＭ１０をワークエリアとして使用しつつ各部を制御するものであり、ＲＯＭ９は、ＣＰＵ８が動作するためのシステムプログラム等を記憶している。
【００１７】
さらにバス１２には、モータ制御回路１３、ＵＡＲＴ（universal asynchronous receiver transmitter）１４、スイッチ１５、時計回路１６、タイマー１７及び報音部１８が接続されている。モータ制御回路１３は、運針パルスを発生して前記時針４２と分針４３とを駆動する時・分針駆動モータ２１、及び秒針４４を駆動する秒針駆動モータ２２を制御するものであり、時・分針駆動モータ２１及び秒針駆動モータ２２は、各々同期モータからなる。ＵＡＲＴ１４には、変復調回路１６を介してＩｒデータ送受信モジュール１７が接続されており、Ｉｒデータ送受信モジュール１７は前記赤外線送受信部６を有している。
【００１８】
また、スイッチ１５は前記キー７１、７２の操作に応じた操作情報を生成するものである。時計回路１８は現在時刻を計時するものであり、内部に計時した現在時刻データを格納する時針カウンター、分針カウンター、秒針カウンターで構成されるメモリを有している。タイマー１９は、後述する時刻修正モードの設定に伴って秒針４４を停止させた時点からの時間を秒単位で計測するものであり、報音部１８は所定の警報音を発生するものである。
【００１９】
図３は、Ｉｒデータ送受信モジュール１７によって受信される時刻データＴＤのフォーマットを示すものである。時刻データＴＤは、６バイトで構成され、１及び２バイト目（HH）は、００〜２３の現在時間に対応する２桁の数値を示し、３及び４バイト目（MM）は、００〜５９の現在分に対応する２桁の数値を示し、５及び６バイト目（SS）は、００〜５９の現在秒に対応する２桁の数値を示す。この図３に示したフォーマットからなるデータは、赤外線通信により時刻データＴＤを送信する送信基地局、赤外線通信機能を備えたパーソナルコンピュータ、あるいは赤外線通信機能を備えた他の腕時計１から送信されてくるものである。
【００２０】
次に、以上の構成にかかる本実施の形態の動作をフローチャートに従って説明する。ＣＰＵ８は、ＲＯＭ９に格納されているプログラムに基づき図４に示したフローチャートに示す処理を実行する。すなわち、設定キー７１に対する操作の有無により時刻修正モードが設定されたか否かを判断する（ステップＳ１０１）。時刻修正モードが設定されたならば、秒針４４を００秒の位置に運針して停止させる（ステップＳ１０２）。
【００２１】
すなわち、設定キー７１が操作されて時刻修正モードが設定された際には、モータ制御回路１３に指示し、通常の運針時における運針パルスよりも高周波の運針パルスを秒針駆動モータ２２に供給させ、これにより秒針４４を高速で００秒の位置（１２時の位置）に運針させる。しかる後に、運針パルスの供給を停止させることにより、秒針４４を００秒の位置に停止させる。
【００２２】
次に、秒桁が“００”の時刻データＴＤを受信するまで待機する（ステップＳ１０３）。つまり、最寄りの赤外線データ通信装置や他の腕時計１から時刻データＴＤが送信されてくると、Ｉｒデータ送受信モジュール１７を動作させてこれを受信し、変復調回路１６を動作させて復調させた後、ＵＡＲＴ１４を動作させてデータを変換して取り込む。このとき、図３に示したように、時刻データＴＤは、６バイトで構成され、５及び６バイト目（SS）が、００〜５９の現在秒に対応する２桁の数値を示す。したがって、ステップＳ１０３では、５及び６バイト目（SS）が“００”である時刻データＴＤを受信するまで待機する。
【００２３】
そして、５及び６バイト目（SS）が“００”である時刻データＴＤを受信したならば、時計回路１８のメモリに当該時刻データＴＤを書き込み、時針４２及び分針４３を取込値に運針させるとともに、秒針４４を前記時刻データＴＤの受信と同時に運針を開始させる（ステップＳ１０４）。
【００２４】
すなわち、モータ制御回路１３に指示し、通常の運針時における運針パルスよりも高周波の運針パルスを時・分駆動モータ２１に供給させ、これにより時針４２を高速で時刻データＴＤの１及び２バイト目（HH）が示す時間位置内に移動させるとともに、分針４３を高速で時刻データＴＤの３及び４バイト目（MM）が示す分に移動させる。さらに、モータ制御回路１３に指示し、通常の運針時における運針パルスを秒針駆動モータ２２に供給させて秒針４４の運針を再開させる。無論、モータ制御回路１３は、時・分駆動モータ２１に対しては通常の運針時における運針パルスを供給して、時針４２及び分針４３を運針させる。
【００２５】
これにより、時針４２、分針４３、秒針４４が全て受信した時刻データＴＤの時、分、秒各桁の値に対応する位置から運針が再開され、受信した時刻データＴＤに基づき、精度よく時針４２、分針４３、秒針４４による時刻表示が修正されることとなる。
【００２６】
（第２の実施の形態）
図５は、本発明の第２の実施の形態におけるＣＰＵ８の処理手順を示すフローチャートである。すなわち、前述と同様に、設定キー７１に対する操作の有無により時刻修正モードが設定されたか否かを判断し（ステップＳ２０１）。時刻修正モードが設定されたならば、秒針４４を００秒の位置に運針して停止させるとともに（ステップＳ２０２）、タイマー１９をスタートさせる（ステップＳ２０３）。
【００２７】
次に、秒桁が“００”の時刻データＴＤを受信するまで待機し（ステップＳ２０４）、５及び６バイト目（SS）が“００”である時刻データＴＤを受信したならば、時計回路１８のメモリに当該時刻データＴＤを書き込み、時針４２及び分針４３を取込値に運針させるとともに、秒針４４は前記時刻データＴＤの受信と同時に運針を開始させる（ステップＳ２０５）。
【００２８】
しかし、秒桁が“００”の時刻データＴＤを受信し得ない場合には、タイマー１９の計測値に基づき、時刻修正モードを設定してから１分が経過したか否かを判別する（ステップＳ２０６）。そして、秒桁が“００”の時刻データＴＤを受信することなく、時刻修正モードを設定してから１分が経過した場合には、報音部２０を動作させてエラー音を発生させる（ステップＳ２０７）。
【００２９】
すなわち、時刻修正モードが設定されてから、秒桁が“００”の時刻データＴＤを受信し得るためには、最大１分の待ち受け時間が生ずる。しかし、時刻修正モードが設定されてから１分経過するまでに、秒桁が“００”の時刻データＴＤを受信し得なかった場合には、何らかのエラーが生じたと判断し、報音部２０を動作させて報知を行うことにより、ユーザはエラーが発生したことを知らせるのである。
【００３０】
（第３の実施の形態）
図６は、本発明の第３の実施の形態におけるＣＰＵ８の処理手順を示すフローチャートである。すなわち、前述と同様に、設定キー７１に対する操作の有無により時刻修正モードが設定されたか否かを判断する（ステップＳ３０１）。時刻修正モードが設定されたならば、時計回路１３内の前記秒針カウンターと秒針４４とを停止させるとともに、このときの秒針カウンターの値をＡとして、ＲＡＭ１０に格納する（ステップＳ３０２）。したがって、このとき秒針カウンターの値が「２３秒」であったとすると、「Ａ＝２３」がＲＡＭ１０に格納されるとともに、秒針４４は２３秒の位置で停止する。また、これと同時に、タイマー１９をスタートさせる（ステップＳ３０３）。
【００３１】
次に、秒桁が“Ａ”の時刻データＴＤを受信するまで待機し（ステップＳ３０４）、５及び６バイト目（SS）が“Ａ”である時刻データＴＤを受信したならば、時計回路１８の時針カウンターと分針カウンターとを、当該時刻データＴＤの１及び２バイト目（HH）と、３及び４バイト目（MM）が示すが示す値に変更する。また、モータ制御回路１３に指示し、通常の運針時における運針パルスよりも高周波の運針パルスを時・分駆動モータ２１に供給させ、これにより時針４２を高速で時刻データＴＤの１及び２バイト目（HH）が示す時間位置内に移動させるとともに、分針４３を高速で時刻データＴＤの３及び４バイト目（MM）が示す分に移動させる。さらに、モータ制御回路１３に指示し、通常の運針時における運針パルスを秒針駆動モータ２２に供給させて秒針４４の運針を再開させる（ステップＳ２０５）。
【００３２】
これにより、時針４２、分針４３、秒針４４が全て受信した時刻データＴＤの時、分、秒各桁の値に対応する位置から運針が再開され、受信した時刻データＴＤに基づき、精度よく時針４２、分針４３、秒針４４による時刻表示が修正されることとなる。
【００３３】
しかし、秒桁が“Ａ”の時刻データＴＤを受信し得ない場合には、解除キー７２に対する操作の有無により、時刻訂正モードが解除されたか否かを判断する（ステップＳ３０６）。そして、秒桁が“Ａ”の時刻データＴＤを受信することなく、時刻修正モードが解除された場合には、タイマー１９により計測された時刻修正モード設定から解除までの時間をＢとして、Ａ＋Ｂの秒位置まで秒針４４を高速運針させる（ステップＳ３０７）。すなわち、前述のように「Ａ＝２３」であり、また、時刻修正モード設定から解除までの時間が１５秒であったとすると、Ａ＋Ｂ＝３８秒まで秒針４４を高速運針させる。そして、この秒針４４の高速運針終了と同時に、該秒針４４の通常運針を開始させる（ステップＳ３０８）。
【００３４】
つまり、時刻修正モードが設定されると秒針４４を停止させることから、前述したステップＳ３０５の処理が実行されることなく時刻修正モードが解除された場合、そのまま停止させた秒針４４の運針を再開させると、運針４４を停止させてから再開させるまでの時間に応じた遅れが秒針に生ずることとなる。しかし、秒針を停止させた時点から時刻修正モードが解除されるまでの秒（Ｂ）を計測し、この計測値に対応する秒位置に秒針４４を高速運針させた後、運針を再開することにより、運針を停止させてから再開させるまでの時間に応じた遅れが秒針４４に生ずることがない。よって、ステップＳ３０５の処理が実行される前に時刻修正モードが解除された場合には、従前の時刻表示状態に復帰させることができる。
【００３５】
なお、ステップＳ３０７の処理が実行された際には、時計回路１３内の秒針カウンターもＡ＋Ｂの値に修正される。また、実施の形態においては本発明を腕時計に適用した場合を示したが、腕時計に限ることなく、ビデオデッキや電子手帳等の時計機能を具備した電子機器に適用し得ることは勿論である。
【００３６】
【発明の効果】
以上説明したように本発明によれば、時刻修正モードが設定された際には、秒針を停止させ、受信した時刻データの秒桁が停止させた秒針が示す秒の値であった場合には、当該時刻データの時、分各桁の値に対応する位置に前記時針及び分針を運針させるとともに、秒針の運針を開始させるようにした。よって、時針、分針、秒針の運針を全て受信した時刻データの時、分、秒各桁の値に対応する位置から再開させることができ、これにより、受信した時刻データに基づき、精度よく時針、分針、秒針による時刻表示を修正することができる。
【図面の簡単な説明】
【図１】本発明の第１の実施の形態にかかる腕時計の外観図である。
【図２】時計本体の回路構成を示すブロック図である。
【図３】時刻データのデータフォーマット図である。
【図４】第１の実施の形態の処理手順を示すフローチャートである。
【図５】第２の実施の形態の処理手順を示すフローチャートである。
【図６】第１の実施の形態の処理手順を示すフローチャートである。
【符号の説明】
１    腕時計
２    時計本体
４    時刻表示部
８    ＣＰＵ
１６    時計回路
１７    タイマー
１８    報音部
４１    文字盤
４２    時針
４３    分針
４４    秒針
７１    設定キー
７２    解除キー
【図１】
0004258110.tif 000002
【図２】
0004258110.tif 000003
【図３】
0004258110.tif 000004
【図４】
0004258110.tif 000005
【図５】
0004258110.tif 000006
【図６】
0004258110.tif 000007